(57)【要約】【課題】電子ペン用帳票に記入された記入情報を処理する際に、不正な第三者による処理を防止することができる処理システムを提供する。【解決手段】処理システム１００において、正規の利用者は予め隠し項目５０の存在や位置を知らされている。利用者は、電子ペン１０により電子ペン用帳票３ａに記入する際、隠し項目にチェックマークを記入する。サーバ５ａは、電子ペンから取得した記入情報に含まれる座標情報に基づいて定義情報を参照することにより、当該記入情報から隠し項目５０に記入された認証記入情報を抽出する。サーバ５ａは、認証記入情報を抽出することができた場合、隠し項目５０にチェックマークが記入されていると判断し、当該記入情報を正規の利用者による正規データであると認証する。そして、サーバ５ａは、正規データであると認証された記入情報に基づいて所定の処理を実行する。【選択図】図９
2008117188.tif 000002
【特許請求の範囲】
【請求項１】
電子ペンにより認識可能なドットパターンが印刷された電子ペン用帳票に記入された情報を処理する処理装置において、
前記電子ペン用帳票は、隠し項目を有しており、
前記処理装置は、
前記隠し項目と、前記ドットパターンの位置座標を示す座標情報とを対応付けた定義情報を記憶する定義情報記憶手段と、
前記電子ペンにより、前記電子ペン用帳票に記入された記入情報を取得する記入情報取得手段と、
前記記入情報に含まれる座標情報に基づいて前記定義情報を参照することにより、前記記入情報から、前記隠し項目に記入された認証記入情報を抽出することができるか否かを判定する判定手段と、
前記判定手段により前記認証記入情報を抽出することができると判定された場合に、前記記入情報は正規であると認証し、当該記入情報に基づいて所定の処理を実行する処理実行手段と、を備えることを特徴とする処理装置。
【請求項２】
前記判定手段により前記認証記入情報を抽出することができないと判定された場合に、前記記入情報は不正であると判断し、当該記入情報を不正記入情報として記憶する不正記入情報記憶手段と、をさらに備えることを特徴とする請求項１に記載の処理装置。
【請求項３】
前記隠し項目は、視覚的に認識不可能な項目であることを特徴とする請求項１又は２に記載の処理装置。
【請求項４】
電子ペンにより認識可能なドットパターンが印刷された電子ペン用帳票に記入された情報を処理する処理装置において、
前記電子ペン用帳票は、前記電子ペンによりパスワードが記入されるパスワード記入項目を有しており、
前記処理装置は、
前記電子ペン用帳票に記入された情報が正規であることを示すパスワードを記憶するパスワード記憶手段と、
前記パスワード記入項目と、前記ドットパターンの位置座標を示す座標情報とを対応付けた定義情報を記憶する定義情報記憶手段と、
前記電子ペンにより、前記電子ペン用帳票に記入された記入情報を取得する記入情報取得手段と、
前記記入情報に含まれる座標情報に基づいて前記定義情報を参照することにより、前記記入情報から、前記パスワード記入項目に記入された認証記入情報を抽出する認証記入情報抽出手段と、
前記認証記入情報に含まれる座標情報及び時間情報に基づいて、前記電子ペンにより記入されたパスワードを特定するパスワード特定手段と、
パスワード特定手段が特定したパスワードと、パスワード記憶手段が記憶するパスワードが一致するか否かを判定する判定手段と、
前記判定手段により前記パスワードが一致すると判定された場合に、前記記入情報は正規であると認証し、当該記入情報に基づいて所定の処理を実行する処理実行手段と、を備えることを特徴とする処理装置。
【請求項５】
前記判定手段により前記パスワードが一致しないと判定された場合に、前記記入情報は不正であると判断し、当該記入情報を不正記入情報として記憶する不正記入情報記憶手段と、をさらに備えることを特徴とする請求項４に記載の処理装置。
【請求項６】
電子ペンにより認識可能なドットパターンが印刷された電子ペン用帳票に記入された情報を処理するコンピュータにより実行されるプログラムにおいて、
前記電子ペン用帳票は、隠し項目を有しており、
前記プログラムは、
前記隠し項目と、前記ドットパターンの位置座標を示す座標情報とを対応付けた定義情報を記憶する定義情報記憶手段、
前記電子ペンにより、前記電子ペン用帳票に記入された記入情報を取得する記入情報取得手段、
前記記入情報に含まれる座標情報に基づいて前記定義情報を参照することにより、前記記入情報から、前記隠し項目に記入された認証記入情報を抽出することができるか否かを判定する判定手段、
前記判定手段により前記認証記入情報を抽出することができると判定された場合に、前記記入情報は正規であると認証し、当該記入情報に基づいて所定の処理を実行する処理実行手段、として前記コンピュータを機能させることを特徴とするプログラム。
【請求項７】
電子ペンにより認識可能なドットパターンが印刷された電子ペン用帳票に記入された情報を処理するコンピュータにより実行されるプログラムにおいて、
前記電子ペン用帳票は、前記電子ペンによりパスワードが記入されるパスワード記入項目を有しており、
前記プログラムは、
前記電子ペン用帳票に記入された情報が正規であることを示すパスワードを記憶するパスワード記憶手段、
前記パスワード記入項目と、前記ドットパターンの位置座標を示す座標情報とを対応付けた定義情報を記憶する定義情報記憶手段、
前記電子ペンにより、前記電子ペン用帳票に記入された記入情報を取得する記入情報取得手段、
前記記入情報に含まれる座標情報に基づいて前記定義情報を参照することにより、前記記入情報から、前記パスワード記入項目に記入された認証記入情報を抽出する認証記入情報抽出手段、
前記認証記入情報に含まれる座標情報及び時間情報に基づいて、前記電子ペンにより記入されたパスワードを特定するパスワード特定手段、
パスワード特定手段が特定したパスワードと、パスワード記憶手段が記憶するパスワードが一致するか否かを判定する判定手段、
前記判定手段により前記パスワードが一致すると判定された場合に、前記記入情報は正規であると認証し、当該記入情報に基づいて所定の処理を実行する処理実行手段、として前記コンピュータを機能させることを特徴とするプログラム。
【発明の詳細な説明】
【技術分野】
【０００１】
本発明は、電子ペン用帳票において、不正な第三者による利用を防止するための技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献１）。
【０００３】
このように電子ペンを利用したシステムが普及することに伴い、例えば、電子ペンにより専用紙に記入された記入情報を登録する際に、部外者や正規担当者以外の人間による処理を防止するシステムが必要とされている。つまり、不正な第三者による利用を防止するシステムがあれば、セキュリティ上より安全に電子ペンを利用することができる。
【０００４】
【特許文献１】特開２００４−１５３６１２号公報
【発明の開示】
【発明が解決しようとする課題】
【０００５】
本発明は、以上の点に鑑みてなされたものであり、電子ペン用帳票に記入された記入情報を処理する際に、不正な第三者による処理を防止する処理システムを提供することを課題とする。
【課題を解決するための手段】
【０００６】
本発明の１つの観点では、電子ペンにより認識可能なドットパターンが印刷された電子ペン用帳票に記入された情報を処理する処理装置において、前記電子ペン用帳票は、隠し項目を有しており、前記処理装置は、前記隠し項目と、前記ドットパターンの位置座標を示す座標情報とを対応付けた定義情報を記憶する定義情報記憶手段と、前記電子ペンにより、前記電子ペン用帳票に記入された記入情報を取得する記入情報取得手段と、前記記入情報に含まれる座標情報に基づいて前記定義情報を参照することにより、前記記入情報から、前記隠し項目に記入された認証記入情報を抽出することができるか否かを判定する判定手段と、前記判定手段により前記認証記入情報を抽出することができると判定された場合に、前記記入情報は正規であると認証し、当該記入情報に基づいて所定の処理を実行する処理実行手段と、を備える。
【０００７】
上記のように構成された処理装置において、正規の利用者は予め隠し項目の存在や位置を知らされている。つまり、隠し項目は、正規の利用者以外には分からないような形態で設けられている。利用者は、電子ペンにより電子ペン用帳票に記入する際、隠し項目にチェックマークを記入する。処理装置は、電子ペンから電子ペン用帳票に記入された内容に対応するデジタルデータを記入情報として取得する。記入情報には、座標情報等が含まれている。処理装置は、取得した記入情報に含まれる座標情報に基づいて定義情報を参照することにより、当該記入情報から隠し項目に記入された内容に対応する認証記入情報を抽出する。処理装置は、認証記入情報を抽出することができた場合、隠し項目にチェックマークが記入されていると判断し、当該記入情報を正規の利用者による正規データであると認証する。そして、処理装置は、正規データであると認証された記入情報に基づいて所定の処理を実行する。
【０００８】
このように、電子ペン用帳票には、正規の利用者以外には分からないような形態で隠し項目が設けられている。よって、処理装置は、隠し項目にチェックマークが記入されている場合、記入情報は正規データであると認証し、当該記入情報に基づいて所定のデータ処理を実行する。不正な第三者が隠し項目の存在に気づいてチェックマークを記入することは困難なため、隠し項目にチェックマークが記入されているか否かにより正規データの認証を行うことで、処理装置は、不正な第三者による記入情報に基づく処理を防止することができる。
【０００９】
上記処理装置の一態様では、前記判定手段により前記認証記入情報を抽出することができないと判定された場合に、前記記入情報は不正であると判断し、当該記入情報を不正記入情報として記憶する不正記入情報記憶手段と、をさらに備える。これによれば、処理装置は、認証記入情報を抽出することができなかった場合、隠し項目にチェックマークが記入されていないと判断し、当該記入情報を不正な第三者による不正データであると判断する。よって、不正データであると判断された記入情報に基づいて所定の処理は実行しない。
【００１０】
上記処理装置の他の一態様では、前記隠し項目は、視覚的に認識不可能な項目である。視覚的に認識不可能とは、罫線等により区切られておらず、電子ペン用帳票上のどこに配置されているかわらかない状態である。これによれば、隠し項目は視覚的に認識することができないため、隠し項目に関する情報を知らない不正の第三者が気づいてチェックマークを記入することは不可能である。よって、不正な第三者による記入情報に基づく処理をより強固に防止することができる。
【００１１】
本発明の別の観点では、電子ペンにより認識可能なドットパターンが印刷された電子ペン用帳票に記入された情報を処理する処理装置において、前記電子ペン用帳票は、前記電子ペンによりパスワードが記入されるパスワード記入項目を有しており、前記処理装置は、前記電子ペン用帳票に記入された情報が正規であることを示すパスワードを記憶するパスワード記憶手段と、前記パスワード記入項目と、前記ドットパターンの位置座標を示す座標情報とを対応付けた定義情報を記憶する定義情報記憶手段と、前記電子ペンにより、前記電子ペン用帳票に記入された記入情報を取得する記入情報取得手段と、前記記入情報に含まれる座標情報に基づいて前記定義情報を参照することにより、前記記入情報から、前記パスワード記入項目に記入された認証記入情報を抽出する認証記入情報抽出手段と、前記認証記入情報に含まれる座標情報及び時間情報に基づいて、前記電子ペンにより記入されたパスワードを特定するパスワード特定手段と、パスワード特定手段が特定したパスワードと、パスワード記憶手段が記憶するパスワードが一致するか否かを判定する判定手段と、前記判定手段により前記パスワードが一致すると判定された場合に、前記記入情報は正規であると認証し、当該記入情報に基づいて所定の処理を実行する処理実行手段と、を備える。
【００１２】
上記のように構成された処理装置において、正規の利用者は予めパスワードが知らされている。利用者は、電子ペンにより電子ペン用帳票に記入する際、パスワード記入項目に記入を行うことでパスワードを指定する。このとき、正規の利用者は予め知らされている正しいパスワードを記入により指定する。処理装置は、電子ペンから電子ペン用帳票に記入された内容に対応するデジタルデータを記入情報として取得する。記入情報には、座標情報や時間情報等が含まれている。処理装置は、取得した記入情報に含まれる座標情報に基づいて定義情報を参照することにより、当該記入情報からパスワード記入項目に記入された内容に対応する認証記入情報を抽出する。さらに、処理装置は、抽出した認証記入情報に含まれる座標情報及び時間情報に基づいて、パスワード記入項目において記入により指定されたパスワードを特定する。そして、処理装置は、特定したパスワードが予め記憶していた正しいパスワードと一致する場合、取得した記入情報を正規の利用者による正規データであると認証する。そして、処理装置は、正規データであると認証された記入情報に基づいて所定の処理を実行する。
【００１３】
このように、処理装置は、正規の利用者のみが知るパスワードが記入により指定されている場合、記入情報は正規データであると認証し、当該記入情報に基づいて所定のデータ処理を実行する。不正な第三者が正しいパスワードを記入により指定することは困難なため、パスワード記入項目に正しいパスワードが記入されているか否かにより正規データの認証を行うことで、処理装置は、不正な第三者による記入情報に基づく処理を防止することができる。
【００１４】
上記処理装置の一態様では、前記判定手段により前記パスワードが一致しないと判定された場合に、前記記入情報は不正であると判断し、当該記入情報を不正記入情報として記憶する不正記入情報記憶手段と、をさらに備える。これによれば、処理装置は、パスワードが一致しないと判定された場合に、当該記入情報を不正な第三者による不正データであると判断する。よって、不正データであると判断された記入情報に基づいて所定の処理は実行しない。なお、パスワードが一致しないと判定された場合は、特定したパスワードと正しいパスワードが一致しない場合の他に、パスワードが記入されていない場合、即ちパスワードが特定できない場合も含むものとする。
【００１５】
本発明の別の観点では、電子ペンにより認識可能なドットパターンが印刷された電子ペン用帳票に記入された情報を処理するコンピュータにより実行されるプログラムにおいて、前記電子ペン用帳票は、隠し項目を有しており、前記プログラムは、前記隠し項目と、前記ドットパターンの位置座標を示す座標情報とを対応付けた定義情報を記憶する定義情報記憶手段、前記電子ペンにより、前記電子ペン用帳票に記入された記入情報を取得する記入情報取得手段、前記記入情報に含まれる座標情報に基づいて前記定義情報を参照することにより、前記記入情報から、前記隠し項目に記入された認証記入情報を抽出することができるか否かを判定する判定手段、前記判定手段により前記認証記入情報を抽出することができると判定された場合に、前記記入情報は正規であると認証し、当該記入情報に基づいて所定の処理を実行する処理実行手段、として前記コンピュータを機能させる。
【００１６】
本発明のさらに別の観点では、電子ペンにより認識可能なドットパターンが印刷された電子ペン用帳票に記入された情報を処理するコンピュータにより実行されるプログラムにおいて、前記電子ペン用帳票は、前記電子ペンによりパスワードが記入されるパスワード記入項目を有しており、前記プログラムは、前記電子ペン用帳票に記入された情報が正規であることを示すパスワードを記憶するパスワード記憶手段、前記パスワード記入項目と、前記ドットパターンの位置座標を示す座標情報とを対応付けた定義情報を記憶する定義情報記憶手段、前記電子ペンにより、前記電子ペン用帳票に記入された記入情報を取得する記入情報取得手段、前記記入情報に含まれる座標情報に基づいて前記定義情報を参照することにより、前記記入情報から、前記パスワード記入項目に記入された認証記入情報を抽出する認証記入情報抽出手段、前記認証記入情報に含まれる座標情報及び時間情報に基づいて、前記電子ペンにより記入されたパスワードを特定するパスワード特定手段、パスワード特定手段が特定したパスワードと、パスワード記憶手段が記憶するパスワードが一致するか否かを判定する判定手段、前記判定手段により前記パスワードが一致すると判定された場合に、前記記入情報は正規であると認証し、当該記入情報に基づいて所定の処理を実行する処理実行手段、として前記コンピュータを機能させる。
【００１７】
上記プログラムをコンピュータにより実行することにより、上述の処理装置を実現することができる。また、上述の処理装置の各態様も同様に実現することができる。
【発明の効果】
【００１８】
本発明によれば、電子ペン用帳票に記入された記入情報を処理する際に、不正な第三者による処理を防止することができる。
【発明を実施するための最良の形態】
【００１９】
以下、図面を参照して本発明の好適な実施の形態について説明する。まず、本発明のシステムにおいて入力デバイスとして使用される電子ペンの概要について説明する。
【００２０】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２１】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２２】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２３】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２４】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００２５】
プロセッサ１１は、利用者の記述が行われる間に、筆圧の配列データ及びＸ，Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２６】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２７】
送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。また、電子ペン１０自体が、送信機能を搭載していることとしてもよい。
【００２８】
バッテリー１４は電子ペン１０内の各要素に電源供給するためのものであり、例えば電子ペンのキャップ（図示せず）により電子ペン１０自体の電源のオン／オフを行うことができる。
【００２９】
このように、電子ペン１０は利用者が専用ペーパー２０上に記述した文字などに対応する座標データ（「座標情報」ともいう。）及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３０】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３１】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３２】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３３】
次に、電子ペンにより利用者が記述した内容のＸ，Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３４】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を生成する際は、専用インキ以外のインキで入力枠や罫線、注意書きなどを印刷する。
【００３５】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３６】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３７】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３８】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３９】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４０】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４１】
このように、ドットパターンを印刷した専用ペーパー上に所定の図案を印刷することにより、専用ペーパーを利用した各種申込書が生成できる。利用者は電子ペン１０を使用して通常の要領で必要事項を記入すれば、その電子データが自動的に取得される。
【００４２】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４３】
なお、本明細書においては、「印刷」の語は、通常の印刷のみならず、プリンタによるプリントも含む概念とする。
【００４４】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４５】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。
【００４６】
[処理システム]
次に、本発明の処理システムについて説明する。図７に処理システムの概略構成を示す。図７に示す処理システムは、電子ペン１０により電子ペン用帳票３に記入された記入情報を処理する際に、不正な第三者による処理を防止する処理システムを提供することを課題とする。
【００４７】
図７に示すように、処理システムは、端末装置２５及びサーバ５がネットワーク２を通じて接続されることにより構成される。ここで、ネットワーク２の１つの好適な例はインターネットである。
【００４８】
端末装置２５は、利用者が使用するパーソナルコンピュータ（以下、「ＰＣ」と呼ぶ。）や携帯電話といったネットワークを介してデータの授受が可能な端末装置である。電子ペン１０により電子ペン用帳票３に記入された記入内容は、記入情報として端末装置２５を介し、サーバ５へ送信される。記入情報は、利用者が記入した記入内容に関するストロークや座標に関する情報等が含まれている。ここで、電子ペン用帳票３は、電子ペン１０が認識可能な上述の専用ペーパーである。
【００４９】
サーバ５は、電子ペン１０により電子ペン用帳票３に記入された内容に対応する記入情報を取得し、当該記入情報が不正な第三者により記入された情報であるか否かを判定する。具体的に、正規の利用者は、電子ペン１０を使用して、電子ペン用帳票３の隠し項目にチェックマークを記入したり、電子ペン用帳票３のパスワード記入項目においてパスワードを指定したりする。よって、詳細は後述するが、サーバ５は、記入情報に基づいて、隠し項目へのチェックマークの記入の有無や、パスワード記入項目において指定されたパスワードの成否を判定することにより、当該記入情報が正規の利用者による正規データであるか、不正な第三者による不正データであるかを判断する。
【００５０】
なお、サーバ５は、不正登録データベース（以下、「ＤＢ」と呼ぶ。）６に接続されている。
【００５１】
これによれば、サーバ５は、記入情報に含まれる座標情報や時間情報に基づいて、当該記入情報が正規の利用者による正規データであるか、不正な第三者による不正データであるか判断することができる。よって、例えば、電子ペン１０により電子ペン用帳票３に記入された記入情報を登録する際に、部外者や正規担当者以外の人間による処理を防止することが可能となる。
【００５２】
[第１実施形態]
まず、本発明の処理システムにおける第１実施形態について説明する。第１実施形態において、正規の利用者は、電子ペン１０により電子ペン用帳票３ａへ記入する際に、当該電子ペン用帳票３ａ上に設けられた隠し項目にチェックマークを記入する。隠し項目にチェックマークを記入することは、予め正規の利用者にのみ指示されており、隠し項目は視覚的に認識しづらい位置に配置されているため、不正な第三者が電子ペン１０により電子ペン用帳票３ａへ記入する際に隠し項目にチェックマークを記入することは困難である。つまり、隠し項目の存在や隠し項目へのチェックを知らない第三者が、電子ペン用帳票３ａへ記入する際に隠し項目にチェックマークを記入することはほぼ不可能である。
【００５３】
そこで、サーバ５ａは、記入情報に基づいて、隠し項目にチェックマークが記入されているか否かを判定する。そして、サーバ５ａは、チェックマークが記入されている場合、当該記入情報は正規データであると認証し、当該記入情報に基づいて所定のデータ処理を実行する。一方、チェックマークが記入されていない場合、当該記入情報は不正データであると判断し、当該記入情報を不正記入情報として不正登録ＤＢ６に別登録する。これにより、サーバ５ａは、不正な第三者による記入情報に基づく処理を防止することができる。
【００５４】
（i）電子ペン用帳票
ここで、第１実施形態の処理システムにおいて使用される電子ペン用帳票３ａについて、図８を参照して説明する。図８は、電子ペン用帳票３ａの例である。
【００５５】
図８（ａ）に示すように、電子ペン用帳票３ａは、名前を記入する名前項目や住所を記入する住所項目等、複数の項目から構成されている。また、電子ペン用帳票３ａは、利用者が容易に認識できる名前項目や住所項目の他に、利用者が容易に認識できない隠し項目５０を有している。本実施形態では、隠し項目５０は、電子ペン用帳票３上に印刷されたロゴマークの部分に配置されている。隠し項目５０は、データの有効性及び正当性を示すユーザエリアであり、罫線等はなく、利用者が容易に隠し項目５０の存在を認識することはできない。ロゴマークの部分に隠し項目５０が配置されていることは、正規の利用者以外には開示しない。
【００５６】
なお、図８では、隠し項目５０を説明するために、便宜上、破線が記載されているが、実際に破線は存在しない。そのため、予め開示されていなければ、利用者が隠し項目５０を認識することはほぼ不可能である。
【００５７】
正規の利用者は、図８（ｂ）に示すように、電子ペン１０を使用して名前項目や住所項目に必要事項を記入する際、必ず隠し項目５０にチェックマークを記入する。そして、最後に、送信ボックス３９にチェックマークを記入することで、電子ペン用帳票３ａに記入された内容に対応する記入情報を、端末装置２５を介してサーバ５ａへ送信する。
【００５８】
サーバ５ａは、後述する定義情報に基づいて、記入情報から、隠し項目５０に記入された情報が抽出できるか否かを判定することにより、当該記入情報が正当データであるか又は不正データであるかを判断する。つまり、サーバ５ａは、隠し項目５０へのチェックマークの記入の有無を判定することにより、当該記入情報が正当データであるか又は不正データであるかを判断する。
【００５９】
なお、本実施形態では、図８に示すように、隠し項目５０がロゴマーク部分に配置されているが、本発明はこれに限定されるものではない。例えば、ロゴマーク等と全く別の箇所に視覚的に認識不可能な状態で配置することとしてもよく、当該電子ペン用帳票３ａに関連付けた別の電子ペン用帳票に配置することとしてもよい。また、本実施形態では、図８に示すように、１枚の電子ペン用帳票３ａに配置された隠し項目は１つであるが、本発明はこれに限定されるものではなく、１枚の電子ペン用帳票に複数の隠し項目を配置することとしてもよい。つまり、隠し項目の配置場所をはじめ、電子ペン用帳票３ａのデザインは任意に設定することができる。
【００６０】
（ii）サーバ
次に、第１実施形態におけるサーバ５ａについて詳しく説明する。図９は、第１実施形態の処理システム１００における、特にサーバ５ａの内部構成を示す。図示のように、サーバ５ａは、認証プログラム１０１、記入情報取得機能１０２、定義情報１０３、認証記入情報判定機能１０４、認証機能１０５及びデータ処理実行機能１０６を有する。なお、各機能は、サーバ５ａが有するＣＰＵが予め用意されたプログラムを実行することにより実現される。
【００６１】
認証プログラム１０１は、記入情報に基づいて、隠し項目５０に電子ペン１０による記入がなされているか否かを判定し、記入されている場合に、当該記入情報を正規データと認証し、所定のデータ処理を実行するプログラムである。また、記入されていない場合に、当該記入情報を不正データと判断し、不正記入情報として登録するプログラムである。
【００６２】
記入情報取得機能１０２は、電子ペン１０から、電子ペン用帳票３に記入された内容に対応する記入情報を取得する機能である。
【００６３】
認証記入情報判定機能１０４は、定義情報１０３を参照し、記入情報取得機能１０２が取得した記入情報から、隠し項目５０に記入された内容に対応する認証記入情報が抽出できるか否かを判定する機能である。利用者が電子ペン１０により隠し項目５０にチェックマークを記入した場合、認証記入情報判定機能１０４は、記入情報から認証記入情報を抽出できる。しかし、利用者が電子ペン１０により隠し項目５０に何も記入しなかった場合、認証記入情報判定機能１０４は、記入情報から認証記入情報を抽出できない。よって、記入情報から認証記入情報が抽出できるか否かを判定することにより、隠し項目５０にチェックマーク等が記入されているか否かを判定することができる。
【００６４】
ここで、定義情報１０３について、図１０を参照して詳しく説明する。図１０は、定義情報のデータ構造を模式的に示す図である。図示のように、定義情報１０３は、項目ＩＤ、項目名及び座標情報から構成される。項目ＩＤとは、電子ペン用帳票３を構成する各項目を識別する情報である。項目名とは、各項目の名称であって、例えば、「隠し項目」、「名前項目」、「住所項目」等である。座標情報とは、各項目のドットパターン上の配置を示す位置座標である。本実施形態では、各項目の左上頂点座標及び右下頂点座標により、四角形である各項目のドットパターン上の配置を示している。認証記入情報判定機能１０４は、記入情報に含まれる座標情報に基づいて、図示のような定義情報の座標情報を参照することにより、当該記入情報に、隠し項目５０に記入された内容に対応する認証記入情報が含まれているか否かを判定することができる。
【００６５】
認証機能１０５は、認証記入情報判定機能１０４により記入情報から認証記入情報が抽出できると判定された場合に、記入情報取得機能１０２が取得した記入情報が正規の利用者による正規データであると認証する機能である。また、認証機能１０５は、認証記入情報判定機能１０４により記入情報から認証記入情報が抽出できないと判定された場合に、記入情報取得機能１０２が取得した記入情報が不正な第三者による不正データであると判断する機能である。不正データと判断された記入情報は、不正記入情報として不正登録ＤＢ６に登録される。
【００６６】
データ処理実行機能１０６は、認証機能１０５により正規データであると認証された記入情報に基づいて、所定のデータ処理を実行する機能である。
【００６７】
（iii）認証処理
次に、第１実施形態の処理システム１００により実行される認証処理について説明する。図１１は、第１実施形態における認証処理のフローチャートである。
【００６８】
なお、正規の利用者には、予め隠し項目５０に関する情報が開示されている。
【００６９】
利用者は、電子ペン１０を使用して、電子ペン用帳票３ａに必要事項の記入を行う。このとき、正規の利用者は、隠し項目５０にチェックマークを記入する。利用者の指示により、電子ペン１０は、電子ペン用帳票３ａに記入された内容に対応する記入情報をサーバ５ａへ送信する。
【００７０】
サーバ５ａは、電子ペン用帳票を構成する項目と、対応する項目のドットパターン上の位置座標を示す座標情報とを対応付けて定義した定義情報を予め有している。また、サーバ５ａは、端末装置２５を介して、電子ペン１０から記入情報を取得する（ステップＳ１）。そして、サーバ５ａは、定義情報を参照することにより、記入情報から、隠し項目５０に記入された認証記入情報を抽出する（ステップＳ２）。記入情報から認証記入情報を抽出することができた場合（ステップＳ３；Ｙｅｓ）、サーバ５ａは、当該記入情報を正規データであると認証する（ステップＳ４）。さらに、サーバ５ａは、正規データであると認証した記入情報に基づいて、所定のデータ処理を実行し（ステップＳ５）、認証処理を完了する。一方、記入情報から認証記入情報を抽出することができなかった場合（ステップＳ３；Ｎｏ）、サーバ５ａは、当該記入情報を不正データであると判断する（ステップＳ６）。さらに、サーバ５ａは、不正データであると判断した記入情報を不正登録ＤＢ６に登録する（ステップＳ７）。つまり、不正データであると判断された記入情報に基づくデータ処理は実行されず、認証処理は終了する。
【００７１】
なお、本実施形態では、不正データであると判断された記入情報は不正登録ＤＢ６に登録されることとしているが、本発明はこれに限定されるものではなく、所定のデータ処理には使用されずに削除されることとしてもよい。
【００７２】
このように、本発明によれば、電子ペン用帳票３には、正規の利用者以外には分からないような形態で「隠し項目」が設けられている。よって、サーバ５ａは、隠し項目５０にチェックマークが記入されている場合、当該記入情報は正規データであると認証し、当該記入情報に基づいて所定のデータ処理を実行する。一方、チェックマークが記入されていない場合、当該記入情報は不正データであると判断し、当該記入情報を不正記入情報として不正登録ＤＢ６に別登録する。これにより、サーバ５ａは、不正な第三者による記入情報に基づく処理を防止することができる。
【００７３】
[第２実施形態]
次に、本発明の処理システムにおける第２実施形態について説明する。第２実施形態において、正規の利用者は、電子ペン１０により電子ペン用帳票３ｂへ記入する際に、当該電子ペン用帳票３ｂ上に設けられたパスワード記入項目にチェックマークを記入することで、パスワードを指定する。パスワードを指定すること及び正しいパスワードは、予め正規の利用者にのみ開示されているため、不正な第三者が電子ペン１０により電子ペン用帳票３ｂに記入する際にパスワード記入項目において正しいパスワードを指定することは困難である。つまり、正しいパスワードを知らない第三者が、電子ペン用帳票３ｂへ記入する際にパスワード記入項目において正しいパスワードを指定することはほぼ不可能である。
【００７４】
そこで、サーバ５ｂは、記入情報に基づいて、パスワード記入項目におけるチェックマークの記入により正しいパスワードが指定されているか否かを判定する。そして、サーバ５ｂは、正しいパスワードが指定されている場合、当該記入情報は正規データであると認証し、当該記入情報に基づいて所定のデータ処理を実行する。一方、正しいパスワードが指定されていない場合、当該記入情報は不正データであると判断し、当該記入情報を不正記入情報として不正登録ＤＢ６に別登録する。これにより、サーバ５ｂは、不正な第三者による記入情報に基づく処理を防止することができる。
【００７５】
（i）電子ペン用帳票
ここで、第２実施形態の処理システムにおいて使用される電子ペン用帳票３ｂについて、図１２を参照して説明する。図１２は、電子ペン用帳票３ｂの例である。
【００７６】
図１２（ａ）に示すように、電子ペン用帳票３ｂは、名前を記入する名前項目や住所を記入する住所項目等、複数の項目から構成されている。また、電子ペン用帳票３ｂは、チェックマークを記入することによりパスワードを指定することができるパスワード記入項目６０を有している。パスワード記入項目６０は、複数のキー項目から構成されており、各キー項目には数字やアルファベットが対応付けられている。
【００７７】
正規の利用者は、図１２（ｂ）に示すように、電子ペン１０を使用して名前項目や住所項目に必要事項を記入する際、必ずパスワード記入項目６０において、正しいパスワードに対応するキー項目にチェックマークを記入することにより、パスワードの指定を行う。例えば、パスワードが「１４８６」の場合、利用者は順番に各数字に対応するキー項目にチェックマークを記入する。本発明は、パスワードが「１１１１」のように重複した数字である場合にも適用することができ、この場合、利用者は数字「１」に対応するキー項目に４回チェックマークを記入する。そして、最後に、送信ボックス３９にチェックマークを記入することで、電子ペン用帳票３ｂに記入された内容に対応する記入情報を、端末装置２５を介してサーバ５ｂへ送信する。
【００７８】
サーバ５ｂは、後述する定義情報に基づいて、記入情報から、パスワード記入項目６０に記入された認証記入情報を抽出する。さらに、サーバ５ｂは、認証記入情報に含まれる座標情報及び時間情報に基づいて、パスワード記入項目６０において指定されたパスワードを特定する。具体的に、サーバ５ｂは、座標情報に基づいてチェックマークが記入されたキー項目を特定し、当該キー項目に対応付けられた数字やアルファベットを特定する。さらに、サーバ５ｂは、時間情報に基づいて、特定したキー項目へチェックマークが記入された順序を特定する。特定した数字やアルファベット及び記入順序により、パスワード記入項目６０において利用者が指定したパスワードを特定することができる。サーバ５ｂは、予め正しいパスワードを記憶しておき、特定したパスワードと一致するか否かを判定することにより、当該記入情報が正当データであるか又は不正データであるかを判断する。
【００７９】
なお、本実施形態では、図１２に示すように、パスワード記入項目６０を構成するキー項目は数字又はアルファベットに対応付けられているが、本発明はこれに限定されるものではなく、設定した正しいパスワードを指定することができればキー項目をどのような記号や文字に対応付けるかは任意に設定することができる。
【００８０】
（ii）サーバ
次に、第２実施形態におけるサーバ５ｂについて詳しく説明する。図１３は、第２実施形態の処理システム２００における、特にサーバ５ｂの内部構成を示す。図示のように、サーバ５ｂは、認証プログラム２０１、記入情報取得機能２０２、定義情報２０３、認証記入情報抽出機能２０４、パスワード特定機能２０５、認証判定機能２０６、認証機能２０７及びデータ処理実行機能２０８を有する。なお、各機能は、サーバ５ｂが有するＣＰＵが予め用意されたプログラムを実行することにより実現される。
【００８１】
認証プログラム２０１は、記入情報からパスワード記入項目６０に記入された認証記入情報を抽出し、当該認証記入情報に基づいて利用者が指定したパスワードを特定するプログラムである。また、認証プログラム２０１は、特定したパスワードが正しいパスワードである場合に、当該記入情報を正規データと認証し、所定のデータ処理を実行するプログラムである。さらに、認証プログラム２０１は、パスワードが特定できなかった場合及び特定したパスワードが正しいパスワードではない場合に、当該記入情報を不正データと判断し、不正記入情報として登録するプログラムである。
【００８２】
記入情報取得機能２０２は、電子ペン１０から、電子ペン用帳票３に記入された内容に対応する記入情報を取得する機能である。
【００８３】
認証記入情報抽出機能２０４は、定義情報２０３を参照し、記入情報取得機能２０２が取得した記入情報から、パスワード記入項目６０に記入された内容に対応する認証記入情報を抽出する機能である。ここで、定義情報２０３について、図１４を参照して詳しく説明する。図１４は、定義情報のデータ構造を模式的に示す図である。図示のように、定義情報２０３は、項目ＩＤ、項目名、キー及び座標情報から構成される。項目ＩＤとは、各項目の名称であって、例えば、「パスワード記入項目」、「名前項目」、「住所項目」等である。キーとは、パスワード記入項目６０を構成するキー項目に関しており、各キー項目に対応付けられた数字やアルファベットが格納されている。座標情報とは、各項目のドットパターン上の配置を示す位置座標である。なお、図示のように、パスワード記入項目のみは、当該パスワード記入項目を構成するキー項目毎にドットパターン上の配置を示す位置座標が格納されている。認証記入情報抽出機能２０４は、記入情報に含まれる座標情報に基づいて、図示のような定義情報の座標情報を参照することにより、当該記入情報から、パスワード記入項目６０に記入された内容に対応する認証記入情報を抽出することができる。
【００８４】
パスワード特定機能２０５は、認証記入情報抽出機能２０４が抽出した認証記入情報に含まれる座標情報に基づいて、定義情報の座標情報を参照することにより、電子ペン１０によりチェックマークの記入が行われたキー項目に対応付けられた数字又はアルファベットを特定する。なお、本実施形態におけるチェックマークは、１ストロークであるものとする。また、パスワード特定機能２０５は、認証記入情報に含まれる時間情報に基づいて、電子ペン１０によりチェックマークの記入が行われたキー項目の記入順序を特定する。換言すると、キー項目に対応付けされた数字又はアルファベットの順序を特定する。そして、パスワード特定機能２０５は、特定した数字又はアルファベットと、記入順序とに基づいて、利用者がパスワード記入項目６０において指定したパスワードを特定する。
【００８５】
認証判定機能２０６は、パスワード特定機能２０５が特定したパスワードと、予めサーバ５ｂに記憶された正しいパスワードとを比較し、一致するか否かを判定する機能である。
【００８６】
認証機能２０７は、特定したパスワードと正しいパスワードが一致すると判定した場合に、記入情報取得機能２０２が取得した記入情報が正規の利用者による正規データであると認証する機能である。一方、特定したパスワードと正しいパスワードが一致しないと判定した場合に、認証機能２０６は、記入情報取得機能２０２が取得した記入情報が不正な第三者による不正データであると判断する機能である。また、認証機能２０７は、認証記入情報抽出機能２０４が認証記入情報を抽出できなかった場合やパスワード特定機能２０５がパスワードを特定できなかった場合にも、当該記入情報が不正データであると判断する。なお、不正データと判断された記入情報は、不正記入情報として不正登録ＤＢ６に登録される。
【００８７】
データ処理実行機能２０８は、認証機能２０７による正規データであると認証された記入情報に基づいて、所定のデータ処理を実行する機能である。
【００８８】
（iii）認証処理
次に、第２実施形態の処理システム２００により実行される認証処理について説明する。図１５は、第２実施形態における認証処理のフローチャートである。
【００８９】
なお、正規の利用者には、予め正しいパスワードが開示されている。また、サーバ５ｂは、予め正しいパスワードを記憶している。
【００９０】
利用者は、電子ペン１０を使用して、電子ペン用帳票３ｂに必要事項の記入を行う。このとき、正規の利用者は、パスワード記入項目６０においてキー項目にチェックマークを記入することにより、正しいパスワードを指定する。利用者の指示により、電子ペン１０は、電子ペン用帳票３ｂに記入された内容に対応する記入情報をサーバ５ｂへ送信する。
【００９１】
サーバ５ｂは、電子ペン用帳票を構成する項目と、対応する項目のドットパターン上の位置座標を示す座標情報とを対応付けて定義した定義情報を予め有している。また、サーバ５ｂは、端末装置２５を介して、電子ペン１０から記入情報を取得する（ステップＳ１１）。そして、サーバ５ｂは、定義情報を参照することにより、記入情報から、パスワード記入項目６０に記入された認証記入情報を抽出する（ステップＳ１２）。さらに、サーバ５ｂは、抽出した認証記入情報に含まれる座標情報及び時間情報と、定義情報とに基づいて、利用者がパスワード記入項目６０において指定したパスワードを特定する（ステップＳ１３）。そして、サーバ５ｂは、特定したパスワードと、予め記憶してある正しいパスワードとを比較し、一致するか否かを判定する（ステップＳ１４）。特定したパスワードと正しいパスワードが一致する場合（ステップＳ１４；Ｙｅｓ）、サーバ５ｂは、当該記入情報を正規データであると認証する（ステップＳ１５）。さらに、サーバ５ｂは、正規データであると認証した記入情報に基づいて、所定のデータ処理を実行し（ステップＳ１６）、認証処理を完了する。一方、特定したパスワードと正しいパスワードが一致しなかった場合（ステップステップＳ１４；Ｎｏ）、サーバ５ｂは、当該記入情報を不正データであると判断する（ステップＳ１７）。さらに、サーバ５ｂは、不正データであると判断した記入情報を不正登録ＤＢ６に登録する（ステップＳ１８）。つまり、不正データであると判断された記入情報に基づくデータ処理は実行されず、認証処理は終了する。
【００９２】
なお、本実施形態では、予めサーバ５ｂが正しいパスワードを記憶していることとしているが、パスワードの設定方法としては「電子ペン用帳票毎に設定」、「ペンＩＤ単位で設定」、「月次や週次で設定」等種々の方法が考えられる。つまり、本発明におけるパスワードの設定方法は任意である。正規の利用者には常に最新のパスワードが開示され、サーバ５ｂには常に最新のパスワードが記憶される。
【００９３】
また、本実施形態では、不正データであると判断された記入情報は不正登録ＤＢ６に登録されることとしているが、本発明はこれに限定されるものではなく、所定のデータ処理には使用されずに削除されることとしてもよい。
【００９４】
このように、本発明によれば、電子ペン用帳票３にはパスワードを指定するためのパスワード記入項目６０が設けられており、正しいパスワードは正規の利用者にのみ開示されている。よって、サーバ５ｂは、パスワード記入項目６０において指定されたパスワードが正しいパスワードである場合、当該記入情報は正規データであると認証し、当該記入情報に基づいて所定のデータ処理を実行する。一方、パスワード記入項目６０において指定されたパスワードが正しいパスワードではない場合、当該記入情報は不正データであると判断し、当該記入情報を不正記入情報として不正登録ＤＢ６に別登録する。これにより、サーバ５ｂは、不正な第三者による記入情報に基づく処理を防止することができる。つまり、パスワードの正当性を検証することにより、記入情報の不正処理や不正登録を排除することができる。
【００９５】
なお、上記第１実施形態及び第２実施形態では、サーバ５が各種機能を有することとしているが、本発明はこれに限定されるものではなく、一部又は全部の機能を端末装置２５が有することとしてもよい。つまり、端末装置２５自身で完結した処理により、認証処理を行うこととしてもよい。この場合、端末装置２５は、ネットワーク２に接続されている必要はなく、スタンドアロンでも構わない。
【産業上の利用可能性】
【００９６】
本発明によれば、電子ペン用帳票に記入された記入情報を処理する際に、不正な第三者による処理を防止することができる。
【図面の簡単な説明】
【００９７】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】処理システムの概略構成を示す。
【図８】第１実施形態における電子ペン用帳票の例である。
【図９】第１実施形態の処理システムに含まれるサーバの機能ブロック図である。
【図１０】第１実施形態における定義情報のデータ構造を模式的に示す図である。
【図１１】第１実施形態における認証処理のフローチャートである。
【図１２】第２実施形態における電子ペン用帳票の例である。
【図１３】第２実施形態の処理システムに含まれるサーバの機能ブロック図である。
【図１４】第２実施形態における定義情報のデータ構造を模式的に示す図である。
【図１５】第２実施形態における認証処理のフローチャートである。
【符号の説明】
【００９８】
２…ネットワーク
３…電子ペン用帳票
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…処理システム
【図１】
2008117188.tif 000003
【図２】
2008117188.tif 000004
【図３】
2008117188.tif 000005
【図４】
2008117188.tif 000006
【図５】
2008117188.tif 000007
【図６】
2008117188.tif 000008
【図７】
2008117188.tif 000009
【図８】
2008117188.tif 000010
【図９】
2008117188.tif 000011
【図１０】
2008117188.tif 000012
【図１１】
2008117188.tif 000013
【図１２】
2008117188.tif 000014
【図１３】
2008117188.tif 000015
【図１４】
2008117188.tif 000016
【図１５】
2008117188.tif 000017